(57)【要約】【課題】  榊への紙垂の装着を容易に行うことができる紙垂を提供する。【解決手段】  紙垂１１を構成する紙垂本体１２の中央部に下向きに挿入部１３を連結する。この挿入部１３を榊束の枝の間に挿入することによって、榊束に紙垂１１を容易に装着することができる。【選択図】      図１
2006167026.tif 000002
【特許請求の範囲】
【請求項１】
紙垂本体に対し、榊の枝又は葉に取り付けられる被取付部を設けたことを特徴とする紙垂。  
【請求項２】
請求項１において、前記被取付部は榊の束ねられた枝間に挿入される挿入部であることを特徴とする紙垂。
【請求項３】
請求項１又は２に記載の紙垂と榊を組み合わせたことを特徴とする紙垂・榊セット。
【請求項４】
請求項３において、前記榊と紙垂は包装用シートにより包装され、該包装用シートの内面又は表面には、米、塩、水及び酒の少なくとも一種類のものを収容した袋又は容器が備えられていることを特徴とする紙垂・榊セット。
【発明の詳細な説明】
【技術分野】
【０００１】
本発明は、紙垂及びそれを備えた紙垂・榊セットに関する。
【背景技術】
【０００２】
従来、一般の家庭や神社等において、御祈祷の際に、紙垂を備えた榊が用いられる。榊や紙垂は、生花店でそれぞれ単体で販売されている。又、必要に応じて、米や塩、あるいは酒や水が神棚に供えられる。これらの米や塩、あるいは酒や水は、通常生花店では販売されておらず、ユーザーは別の店で購入して用意するようになっている。特許文献１には、祓え串あるいは注連縄等に用いる紙垂の構成が記載されている。
【特許文献１】特開２００４−２５５０７９号公報
【発明の開示】
【発明が解決しようとする課題】
【０００３】
生花店で榊と紙垂を購入したユーザーは、榊に紙垂を装着する必要があるが、特許文献１に記載された紙垂には特に装着用の工夫がされていないので、榊への紙垂の装着が面倒で適正な姿勢に装着することも難しいという問題があった。又、米や塩、あるいは酒や水の少なくとも一種類のものを榊とともに神棚等に供えようとすると、別途準備しなければならないので、準備作業が非常に面倒であるという問題もあった。
【０００４】
本発明の第１の目的は、ユーザーが榊等への紙垂の装着を容易に行うことができる紙垂を提供することにある。
又、本発明の第２の目的は、上記第１の目的に加えて、榊と紙垂をユーザーが神棚等へ容易に備えることができる紙垂・榊セットを提供することにある。
【０００５】
さらに、本発明の第３の目的は、上記第２の目的に加えて、米、塩、酒及び水のうち少なくとも一種類のものを榊とともに神棚等に容易に供えることができる紙垂・榊セットを提供することにある。
【課題を解決するための手段】
【０００６】
上記問題点を解決するために、請求項１に記載の発明は、紙垂本体に対し、榊の枝又は葉に取り付けられる被取付部を設けたことを要旨とする。
請求項２に記載の発明は、請求項１において、前記被取付部は榊の束ねられた枝間に挿入される挿入部であることを要旨とする。
【０００７】
請求項３に記載の発明は、請求項１又は２に記載の紙垂と榊を組み合わせたことを要旨とする。
請求項４に記載の発明は、請求項３において、前記榊と紙垂は包装用シートにより包装され、該包装用シートの内面又は表面には、米、塩、水及び酒の少なくとも一種類のものを収容した袋又は容器が備えられていることを要旨とする。
【発明の効果】
【０００８】
請求項１に記載の発明によれば、紙垂本体に被取付部を設けたので、榊に対して、紙垂を適正な姿勢に容易に取り付けることができる。
請求項２に記載の発明によれば、挿入部を榊の束ねられた枝の間に挿入するだけで簡単に紙垂を取り付けることができる。
【０００９】
請求項３に記載の発明によれば、榊と紙垂をユーザーが組み合わせなくてもよいので、神棚等へ容易に備えることができる。
請求項４に記載の発明によれば、紙垂を備えた榊と共に、米、塩、水及び酒の少なくとも一種類のものを容易に備えることができる。
【発明を実施するための最良の形態】
【００１０】
以下、本発明を具体化した紙垂及びそれを備えた紙垂・榊セットの一実施形態を図面にしたがって説明する。
図１に示すように、紙垂１１は、紙垂本体１２と、該紙垂本体１２の中央部に、下向きに接続された被取付部としての挿入部１３とによって構成されている。前記紙垂本体１２は、例えば、山形状に形成されている。紙垂本体１２の材料としては和紙があるが、合成樹脂や金属箔でもよい。挿入部１３の材料としては合成樹脂や金属を用いている。
【００１１】
図２に示す榊束１４は、複数本の榊をテープ１５によって束ねて作られている。このテープに代えてゴム紐を用いてもよい。この榊束１４の複数本の枝１４ａの間に、前記紙垂１１の挿入部１３を挿入することにより、榊束１４に紙垂１１が取り付けられている。
【００１２】
図３に示すように、前記紙垂１１を取り付けた榊束１４は、透明合成樹脂製の袋状をなす包装用シート２１によって包装されている。この包装用シート２１の内側には、米を収納した小袋２２が収容されるとともに、塩を収納した小袋２３が収容されている。これらの小袋２２，２３は図示しない接着用テープにより包装用シート２１の内面に接着されている。これらによって紙垂・榊セット２４が構成されている。
【００１３】
上記実施形態の紙垂１１及びそれを備えた紙垂・榊セット２４によれば、以下のような効果を得ることができる。
（１）上記実施形態では、紙垂本体１２に対して榊の枝間又は葉間に挿入される挿入部１３を設けたので、榊束１４に対する紙垂１１の装着を束ねられた榊の複数本の枝１４ａの隙間又は葉間を利用して容易に行うことができる。
【００１４】
（２）上記実施形態では、前記紙垂１１を備えた榊束１４をセットとして販売するようにしたので、榊と紙垂をユーザーが組み合わせなくてもよく、神棚等へ容易に備えることができる。
【００１５】
（３）上記実施形態では、前記紙垂１１を備えた榊束１４を包装用シート２１によって包装するとともに、包装用シート２１の内部に小袋２２と、小袋２３を収納したので、ユーザーは、紙垂・榊セット２４を購入するだけで、米及び塩とともに紙垂１１を備えた榊束１４を紙棚等に容易に供えることができる。
【００１６】
なお、上記実施形態は以下のように変更してもよい。
○  前記紙垂・榊セット２４の包装用シート２１の内部に、図４（ａ）又は（ｂ）に示すように酒を収容した小袋２５又は水を収容した小袋２６を収容するようにしてもよい。又、米、塩、酒及び水の小袋を少なくとも一袋収納したり、小袋に代えて例えば合成樹脂或いは合成ゴム、ガラス製の小容器を収容するようにしたりしてもよい。これらの収納パターンとしては４種類の小袋又は容器の二乗で１６通りがある。
【００１７】
○  図５に示すように例えば「商売繁盛」、「家内安全」又は「交通安全」等の文字を描いた札２７を包装用シート２１の内面又は表面に例えば接着用テープで装着してもよい。
【００１８】
○  図６に示すように、前記包装用シート２１の内面又は表面にポケット３１を設け、このポケット３１に前記小袋２２、２３、２５、２６、或いは札２７を収容してもよい。
○  図示しないが、前記榊束１４の枝葉に対してケーコー（夜光）塗料を塗布したシールを榊の葉１４ｂに接着したり、夜光塗料をスプレーにより葉１４ｂに吹き付けたりするようにしてもよい。これらの場合には夜間において、榊の葉１４ｂが目立つので、商品価値を高めることができる。又、紙垂本体１２にケーコー（夜光）塗料又はスプレーにより吹き付けるようにしてもよい。
【００１９】
○  図１において、前記紙垂本体１２に対し挿入部１３を一体に形成してもよい。
○  前記包装用シート２１の表面に「さかき」、「栄輝」の文字を描いたり、「邪馬台国」の文字を描いたり、その他各種の文字や図形を描いたりしてもよい。
【００２０】
○  前記挿入部１３に代えて、図示しないが榊束１４の枝１４ａ又は葉１４ｂに挟着される被取付部としての二股状部を用いたり、針状の挿入ピンを用いたり、針金を用いたりしてもよい。
【００２１】
○  図示しないが前記小袋２２，２３，２５，２６、札２７の裏面に粘着剤皮膜を設け、小袋や札を包装用シート２１の表面に接着するようにしてもよい。
以下、上記実施形態から把握される請求項以外の技術的思想について説明する。
【００２２】
（１）紙垂と榊を組み合わせたことを特徴とする紙垂・榊セット。
（２）上記（１）において、前記榊と紙垂は包装用シートにより包装され、前記包装用シートの内面又は表面には米、塩、水及び酒の少なくとも一種類のものを収容した袋又は容器が備えられていることを特徴とする紙垂・榊セット。
【００２３】
（３）上記（２）において、前記包装用シートは袋又は容器を収納するポケットを備えている紙垂・榊セット。
【図面の簡単な説明】
【００２４】
【図１】この発明を具体化した紙垂の斜視図。
【図２】紙垂を備えた榊束の正面図。
【図３】紙垂・榊セットの正面図。
【図４】（ａ）、（ｂ）は小袋の正面図。
【図５】札の正面図。
【図６】ポケットの斜視図。
【符号の説明】
【００２５】
１１…紙垂、１２…紙垂本体、１３…挿入部、１４ａ…枝、１４ｂ…葉、２１…包装用シート。
【図１】
2006167026.tif 000003
【図２】
2006167026.tif 000004
【図３】
2006167026.tif 000005
【図４】
2006167026.tif 000006
【図５】
2006167026.tif 000007
【図６】
2006167026.tif 000008